(57)【特許請求の範囲】
【請求項１】
略直方形のプラスチック製容器本体の相対する二辺の開口縁に上方から内方にわたって開放された凹窪部を形成し、該凹窪部の内壁面に内方に向かって隆起する鉛直断面く字状の係合部を一体に形成し、略直方形のプラスチック製蓋は前記容器本体の開口縁上に載置される水平板面の上面周縁部に補強枠を一体に形成すると共に該水平板面の下面に該容器本体の内周に遊嵌する垂下壁を一体に形成し、該垂下壁の下縁部に外方に向けて突出する爪片を一体に形成し、該爪片の上部に寄せリブを該爪片よりも少し内方に控えて一体に形成し、該爪片を形成した部位に近い前記補強枠の内外側面に指掛け用の横孔を形成し、該爪片が形成された垂下壁の基部に切欠を形成することで該爪片が前記係合部に対し弾性的に係脱するようにしたことを特徴とするプラスチック製蓋付き容器。
【発明の詳細な説明】
【技術分野】
【０００１】
本発明は、種々の物品を収納し、運搬・保管するために使用されるプラスチック製蓋付き容器に関するもので、さらに詳しくは、容器本体に対し蓋を簡易に係止できるようにする構造にするものである。
【背景技術】
【０００２】
下記特許文献１には、蓋の外周端部に折り曲げ可能なタブを形成し、該タブを容器本体の開口縁外周に係合することにより、該蓋が輸送中の振動や風などで外れることのないようにするロック機構を備えた蓋付き容器が開示されている。
また、特許文献２に示された容器では、蓋の上面に内外方向に摺動自在なるようにロック部材を設け、該ロック部材をスライド操作し容器本体に形成された係合孔に係合することにより、蓋がロックされるようにしている。
【特許文献１】実開昭６２−０６９４４９号公報
【特許文献２】実公昭６０−０３０９３１号公報
【発明の開示】
【発明が解決しようとする課題】
【０００３】
ところで、特許文献１に示された蓋のロック機構では、容器本体の外形寸法よりも蓋の外形が大きくなるので、輸送・保管時スペースに並べて配置すると蓋の外周の分だけ広いスペースが必要になり、収納効率が悪いという問題がある。
一方、特許文献２に示された蓋は容器本体と同一寸法にすることが可能であるが、蓋とは別体のロック部材を成形して蓋に組付けなければならないので、製造・組付にコストが掛かると共に、ロック操作およびロック解除に手間が掛かり、蓋開閉作業を機械化・自動化するのも容易でないという問題がある。
【課題を解決するための手段】
【０００４】
本発明は上記課題を解決しようとするもので、請求項１に記載したプラスチック製蓋付き容器は、略直方形のプラスチック製容器本体の相対する二辺の開口縁に上方から内方にわたって開放された凹窪部を形成し、該凹窪部の内壁面に内方に向かって隆起する鉛直断面く字状の係合部を一体に形成し、略直方形のプラスチック製蓋は前記容器本体の開口縁上に載置される水平板面の上面周縁部に補強枠を一体に形成すると共に該水平板面の下面に該容器本体の内周に遊嵌する垂下壁を一体に形成し、該垂下壁の下縁部に外方に向けて突出する爪片を一体に形成し、該爪片の上部に寄せリブを該爪片よりも少し内方に控えて一体に形成し、該爪片を形成した部位に近い前記補強枠の内外側面に指掛け用の横孔を形成し、該爪片が形成された垂下壁の基部に切欠を形成することで該爪片が前記係合部に対し弾性的に係脱するようにしたことを特徴とする。
【発明の効果】
【０００６】
請求項１に記載した発明によれば、蓋の外形が容器本体の外形寸法よりも大きくなることなく蓋を係止可能にできると共に、別部品を必要とせず係止部を一体に成形することができるので、製造・組付に要するコストが大幅に軽減される。また、爪片が係合部に弾性的に係脱し、蓋の付け外しが容易になると共に、蓋を閉状態に係止したときにおける該蓋のガタツキが防止される。
【発明を実施するための最良の形態】
【０００７】
図１は本発明に係るプラスチック製蓋付き容器の容器本体と蓋の斜視図で、１０は略直方形のプラスチック製容器本体、２０は該容器本体上に載置される略直方形のプラスチック製蓋である。なお、容器本体１０はプラスチック製底板上にプラスチック製の四側壁を内側に折りたたみ可能に設けた折りたたみ容器であるが、その折りたたみ構造については本発明と直接関係がないので説明を割愛する。
【０００８】
この容器本体１０では、相対する二辺の開口縁１１に上方から内方にわたって開放された凹窪部１２を形成し、図２，図３に示したように、該凹窪部１２の内壁面に内方に向かって隆起する鉛直断面く字状の係合部１３を一体に形成する。
一方、蓋２０は水平板面２７の周囲に補強枠２１が一体に形成されていると共に、図４、図５に示したように、下面に容器本体１０の内周に遊嵌させる垂下壁２２が一体に形成されたもので、該垂下壁の下縁部に爪片２３を外方に向けて突設し、該爪片２３が前記係合部１３に係脱し得るようにしている。なお、図６にも示したように、爪片２３が形成された垂下壁２２の基部に横長の透孔からなる切欠２４を形成することにより該爪片２３が弾力性を備え、該爪片が係合部１３に対しより弾性的に係脱するようにしている。また、２５は爪片２３の上部に該爪片２３よりも少し内方に控えて形成された寄せリブである。また、２６は爪片２３を形成した部位に近い補強枠２１の内外側面に形成した指掛け用の横孔である。
【０００９】
このため、容器本体１０上に蓋２０を載置し、垂下壁２２を該容器本体１０の内周に遊嵌させた状態にて該蓋２０を下方に押し付けると、爪片２３が断面く字状の係合部１３の傾斜上面に当たり、該傾斜上面により該爪片２３が内向きに押圧されることから該爪片２３は一時的に内方に動きその弾力性によって復帰することから、図７に示したように、該爪片２３は該係合部１３の下側に係合する。これにより、蓋２０は簡易に係止され、輸送中の振動や風などにより外れることがない。また、前記横孔２６に指を挿入し、該蓋２０を持ち上げれば、爪片２３は断面く字状の係合部１３の傾斜下面に当たり、該傾斜下面に該爪片２３が内向きに押圧され一時的に内方に動くことから該爪片２３と係合部１３との係止状態が解除され、蓋２０を開けることができる。
【００１０】
このように、本発明に係る蓋付き容器では、容器本体１０に対し蓋２０を単に押し付けるだけで該蓋２０を閉状態に係止でき、該蓋２０を持ち上げるだけでその係止状態が解除されて蓋を開けることができる。このため、蓋２０をロボットや自動機等によって機械的にも容易に蓋を付け外しできるようになる。
また、係合部１３はプラスチック製の容器本体１０に一体に成形され、爪片２３はプラスチック製の蓋２０に一体に成形することができるので、本発明によれば別部品を一切必要とせずに係止部を構成できる。このため製造・組付に要するコストが大幅に軽減される。
また、本発明によれば、蓋を係止可能にしたことにより蓋の外形が容器本体の外形寸法よりも大きくなることもないので、収納効率を悪くするおそれもない。
【００１１】
また、係合部１３は断面く字状に形成したことにより、開閉時に爪片２３がスムースに案内されるようになると共に、切欠２４を形成し該爪片２３が係合部１３により弾性的に係脱するようにしたことで、動きがしなやかになり、蓋２０の付け外しが容易になる。
また、寄せリブ２５は、爪片２３を係合部１３に係合させ蓋２０を閉状態に係止したとき、該係合部１３の頂部に当接することで、容器本体１０と蓋２０との隙間が一定に保たれ、蓋２０が大きくがたつくことがない。
なお、横孔２６は、指掛け用として使用されるほか、蓋２０の上面補強枠２１内に雨水等が溜まらないようにする水抜き孔としても機能する。
【００１２】
なお、図８に示した実施形態は、爪片２３を囲うように垂下壁２２にＬ字状に切欠３０を形成することにより該爪片２３の弾力性がさらに得られるようにしたもので、このように切欠３０を形成することによっても爪片２３に弾力性を保持させることができる。
一方、図９および図１０に示した実施形態は、垂下壁２２の下縁に水平板面２７が形成されている蓋２０を示す。この実施形態では垂下壁２２の下縁部に爪片２３を突設していることに変わりはないが、水平板面２７との連接部に切欠２８を形成し、かつ該爪片２３の両側部位に切欠２９，２９を形成している。このように垂下壁２２の下縁に水平板面２７が形成された蓋２０においても切欠２８，２９を形成することにより爪片２３に弾力性を保持させることができる。
【００１３】
なお、この実施形態では、容器本体の相対する二辺に係止部を設けたが、係止部の数は必要に応じてさらに多数設けてもよく、その他の辺にも係止部を設けてもよいことは勿論である。
また、この実施形態は、折りたたみ式容器を説明したが、一般的なプラスチック製容器について本発明の構造を適用しても上記のような所期の効果が奏される。
【図面の簡単な説明】
【００１４】
【図１】本発明の実施形態を示すプラスチック製蓋付き容器の斜視図。
【図２】図１の容器本体のＡ−Ａ線断面図。
【図３】図１の容器本体の開口縁の斜視図。
【図４】図１の蓋の要部の側面図。
【図５】図１の蓋のＢ−Ｂ線断面図。
【図６】図１の蓋の垂下壁の破断面斜視図。
【図７】本発明の実施形態である容器本体に蓋を係止したときの要部の縦断面図。
【図８】本発明の実施形態である蓋の要部の側面図。
【図９】本発明の実施形態である蓋の要部の側面図。
【図１０】図９の蓋のＣ−Ｃ線断面図。
【符号の説明】
【００１５】
１０    容器本体
１１    開口縁
１２    凹窪部
１３    係合部
２０    蓋
２２    垂下壁
２３    爪片
２４    切欠
２５    寄せリブ
２６    横孔
【図１】
0004958668.tif 000002
【図２】
0004958668.tif 000003
【図３】
0004958668.tif 000004
【図４】
0004958668.tif 000005
【図５】
0004958668.tif 000006
【図６】
0004958668.tif 000007
【図７】
0004958668.tif 000008
【図８】
0004958668.tif 000009
【図９】
0004958668.tif 000010
【図１０】
0004958668.tif 000011